(57)【特許請求の範囲】
【請求項１】
型枠の上面に取り付けられる基板と、
前記基板を型枠上面に固定する取り付け部と、
面木を押圧するための押圧部が形成されているアームと、
前記アームを前記型枠の内壁面に押し付ける押圧機構と、
前記基板に設けられ、前記アームの一端部が挿通可能に形成された挿通部と、を有し、
前記挿通部は前記アームを回転可能に形成されていて、前記型枠の上面から前記アームをはみ出させることなく、型枠の上端面からの任意の垂直距離の位置において前記面木を固定することが可能であることを特徴とする面木固定具。
【請求項２】
前記押圧機構は、前記基板に取り付けられたネジ機構であることを特徴とする請求項１記載の面木固定具。
【請求項３】
前記ネジ機構には、過締付防止のための締付制限部が形成されていることを特徴とする請求項２記載の面木固定具。
【請求項４】
前記アームは、前記基板との直交方向に対して押圧部の突出方向に傾斜して形成されていることを特徴とする請求項１乃至３のいずれか一項に記載の面木固定具。
【請求項５】
前記取り付け部は、前記基板に着脱自在に設けられていることを特徴とする請求項１乃至４のいずれか一項に記載の面木固定具。
【発明の詳細な説明】
【０００１】
【発明の属する技術分野】
本発明は、面木固定具に関し、より詳細には、面木の取り付けが簡単でしかも確実に行うことが可能な面木固定具に関する。
【０００２】
【従来の技術】
従来より、コンクリート構造物の角部の保護やコンクリート製品に衝突した際に怪我をしないようにするために、コンクリート製品を形成するための型枠内のコンクリートの端面には面木が取り付けられている。面木はプラスチック製のものが主流であり、面木を取り付ける際には、面木の表面側から型枠に釘等を打ち込むことにより固定する方法が採られている。
このように、面木は型枠に直接釘で打ちつけられているため、面木に孔があいてしまい、面木の再利用は殆どできない状況であった。
【０００３】
従来より多用されているコンクリート用型枠は木製であるため、転用回数がせいぜい３回程度である。近年、産業廃棄物の減量化が推進されている背景から、転用可能回数の多い鋼製型枠の使用が見直されている。コンクリート型枠として、鋼製型枠を用いた場合、面木を釘で型枠に打ち込むことができないため、例えば図７に示すように、鋼製型枠ｘの上面に支持金具１００を取り付け、支持金具１００に鋼製型枠ｘの高さ方向に上下動自在なアジャストバー１０２を挿通させ、アジャストバー１０２の先端に面木ｚを押さえる押圧部１０４を設けた面木固定部材１０６と押圧部を有する面木ｚが提案されている。
これによれば、鋼製型枠ｘにおいて、任意の位置に面木ｚを取り付けることおよび面木ｚを転用することが可能になるが、鋼製型枠ｘの上面からアジャストバー１０２が突出しているため、コンクリートの打設およびコンクリートの打設後に行う表面の整形作業等が困難になる上、突出しているアジャストバー１０２に躓き、転倒するおそれ等の課題がある。
【０００４】
そこで、型枠からはみ出さない面木とすべく、面木と取付板を一体に形成した面木が特開平１０−２１２８２５号公報に開示されている。これによれば、面木と取付板とを一体に形成しているので、木製型枠に面木部材を打ちつけることにより取り付けても、面木部分には孔があかず、繰り返し面木部材を使用することが可能である。
また、面木部材に磁石を配設することにより、鋼製型枠であっても型枠上面から突出する部位がなく、しかも鋼製型枠の任意の位置に取り付け取り外しを自在に行うことが可能な面木であるとしている。
【０００５】
【発明が解決しようとする課題】
面木部材に磁石を配設したことにより、鋼製型枠にも簡単に取り付け可能であり、型枠の上面から突出する部位のない構造の面木となっているが、面木部材を型枠に配設した後にコンクリートを打設する際、流入させたコンクリートが面木部材に衝突すると、その衝撃により、面木部材がずれてしまうため、面木部材の位置合わせをやり直さなければならないといった課題がある。
【０００６】
本発明は、以上に述べた課題を解決するためになされたものであり、型枠の任意の位置に簡単にしかも確実に面木を固定し、面木を繰り返し利用することが可能な面木固定具を提供することを目的とする。
【０００７】
【課題を解決するための手段】
以上の課題を解決し、目的を達成するために、本発明者はコンクリート製品の面取部分が型枠の端部から近い位置に形成されていることに注目し、型枠の端部から伸びるアームにより面木を固定する面木固定器具の構成に想到し、本発明を完成した。
すなわち、本願第１の発明は、型枠の上面に取り付けられる基板と、前記基板を型枠上面に固定する取り付け部と、面木を押圧するための押圧部が形成されているアームと、前記アームを前記型枠の内壁面に押し付ける押圧機構と、前記基板に設けられ、前記アームの一端部が挿通可能に形成された挿通部と、を有し、前記挿通部は前記アームを回転可能に形成されていて、前記型枠の上面から前記アームをはみ出させることなく、型枠の上端面からの任意の垂直距離の位置において前記面木を固定することが可能であることを特徴とする面木固定具である。
本発明に係る面木固定具に用いる面木はアームで押圧する部位を有していることが好ましい。このような面木は、例えば特開平１１−２４１５０３号公報で既に開示されており、既に一般市場に提供されているものである。
ここで、押圧機構とは、型枠上面に当接する基板に係止され、アームを介して型枠側面に面木を押圧する機構をいう。また、取り付け部とは、基板を型枠上面に固定する手段で、基板と一体になっているもの、分離している物のいずれも含むものである。
これにより、型枠の上端面から任意の垂直距離の位置に、簡単に、しかも確実に面木を固定することができる。また、面木を固定する際には、釘等により型枠に直接打ち込むことなく固定することができるので、コンクリート打設の際にも位置ズレすることがなく、使用後の面木を簡単に取り外すことができ、転用回数の多い面木とすることが可能になる。
【０００８】
また、本願第２の発明は、前記押圧機構は、前記基板に取り付けられたネジ機構であることを特徴とする面木固定具である。
さらに、本願第３の発明は、前記ネジ機構には、過締付防止のための締付制限部が形成されていることを特徴とする面木固定具である。締付制限部は、所定位置以上にネジが締め付けられないようにするための造作であり、例えば、ネジ山の形成を所定位置までにすることや、ネジ山の中途部に突出部を形成する等の造作全般のことをいう。
これらにより、アームを容易に締め付けることが可能となり、しかも、締め付け過ぎによる面木および面木固定具の破損を防止することが可能になり、繰り返し使用する回数が多くなるので経済的である。
【０００９】
また、本願第４の発明は、前記アームは、前記基板との直交方向に対して押圧部の突出方向に傾斜して形成されていることを特徴とする面木固定具である。
これにより、アームの締め付けにより生じるアームの変形で押圧力が減少してしまうことを防止することができ、面木が確実に型枠に固定される。
【００１０】
さらにまた、本願第５の発明は、前記取り付け部は、前記基板に着脱自在に設けられていることを特徴とする面木固定具である。
これによれば、面木固定具の型枠への取り付けが容易になる他、面木固定具を搬送する際において省スペースとすることができるので好都合である。
【００１１】
【発明の実施の形態】
以下、本発明に係る面木固定具の実施の形態を図面に基いて説明するが、本発明の技術的範囲はこれに限定されるものではない。したがって、発明の要旨を逸脱しない範囲において改変がなされても、本発明の技術的範囲内に含まれるのはもちろんである。
図１は面木固定具の説明斜視図である。図２は面木固定具の説明正面図である。図３は、面木固定具の説明右側面図である。
面木固定具１０は、型枠上面（図示せず)に当接させる基板１２と、基板１２に回動自在に連結されたアーム１４と、基板１２と型枠上面とを係止するための取り付け部１６と、アーム１４を面木ｚに押圧するためのネジ機構１８とにより構成されている。
【００１２】
基板１２の型枠（図示せず)と当接する面における両端部には、型枠の上面の幅と同幅間隔にズレ止め１２ａが形成されている。また、基板１２の上面一端側にはアーム１４とネジ機構１８とを基板１２の所定位置で回動自在に連結するための挿通部１２ｂが形成されている。挿通部１２ｂにネジ機構１８を挿通させることにより、アーム１４とネジ機構１８とを一体にした後、基板１２に回動自在に取り付けることができる。挿通部１２ｂと反対側の端部付近には、基板１２を上下方向に貫通する貫通孔１２ｃが形成されている。貫通孔１２ｃには基板１２を型枠に固定するための取り付け部１６が取り付けられている。
ズレ止め１２ａおよび取り付け部１６により、基板１２が鋼製型枠ｘに動かないように取り付けることができる。これにより、ネジ機構１８によりアーム１４を面木ｚに押圧させる際においても、基板１２が型枠の固定位置からずれることがないので好都合である。
【００１３】
アーム１４は、その一端部と一体に連結させたネジ機構１８を基板１２の挿通部１２ｂに挿通させることにより、基板１２に回動自在に取り付けられている。アーム１４とネジ機構１８とは、略直交する形状で連結されており、アーム１４の他端部には面木ｚを押圧するための押圧部１４ａが形成されている。アーム１４が回動自在に形成されていることにより、型枠の上端面からの任意の垂直距離の位置において面木ｚを固定することが可能になる。また、アーム１４を長尺のものにした場合であっても、型枠の上面からアーム１４がはみ出してしまうことがないため、作業性も良好にすることが可能になる。
【００１４】
アーム１４は図２に示すように基板１２との直交方向下方側に僅かに伸びた後、この直交方向に対してアーム先端の押圧部１４ａの突出方向に傾斜しながら延伸している。これによれば、ネジ機構１８を締め付けることによりアーム１４がたわんで、押圧部１４ａが面木ｚを面木ｚの設置面に対して垂直に押圧することになるので、面木ｚを押圧する力が面木ｚの押圧部に対して斜め方向に作用して、型枠の内壁面の面内方向の分力によって面木ｚがスライドしてしまうおそれをなくし、確実に面木ｚを押圧することが可能になる。
【００１５】
取り付け部１６は基板１２に着脱自在に取り付けられ、簡単な操作によって基板１２を鋼製型枠ｘに係止可能に形成されている。本実施の形態においては、取り付け部１６としてＵクリップを用いている。Ｕクリップ１６は、棒材を、変形した略つ字状の鉤型に形成した係止具である。Ｕクリップ１６は一端部分をＬ字型に屈曲させ、中途部を基板１２の面内方向に曲げた後、他端部分を屈曲させた方向に略つ字型となるように形成されている。他端部分は略つ字型に形成された後に、対向している棒材との離間距離が僅かに狭くなるようにして山形に屈曲されている。
このようなＵクリップ１６は、鋼製型枠を組み立てる際において従来から一般的に用いられているものであり、鋼製型枠には常に付帯しているものである。したがって、本発明に係る面木固定具を使用するためだけにＵクリップ１６を用意する必要がないため、部品の手配が不要になるため好都合である。
【００１６】
ネジ機構１８はアーム１４に連結され、基板１２の挿通部１２ｂに挿通されている。ネジ１８ａを締める際には、ネジ機構１８のナット１８ｂを締め付ければよい。ネジ機構１８の過締付を防止するために、ネジ１８ａの中途部までしかネジ山が形成されていないため、ネジ機構１８の締め付け過ぎによる面木固定具１０の破損を防ぐことができる。
また、ネジ１８ａの先端部分には抜け止め部１８ｃが形成されているため、ナット１８ｂがネジ１８ａから外れてしまうことがないため好適である。
【００１７】
続いて面木固定具の取り付け手順について説明する。図４は、面木固定具の説明平面図である。図５は鋼製型枠への面木固定具の取り付け状態の一例を示す説明図である。
まず、鋼製型枠ｘの内壁面に面木ｚを配設する位置をマーキングする。続いて、面木固定具１０を鋼製型枠ｘの上面にセットする。面木固定具１０は基板１２のズレ止め１２ａを鋼製型枠ｘの上面に係止させることにより鋼製型枠ｘの上面にズレることなく固定することができる。
次に、Ｕクリップ１６を取り付ける。Ｕクリップ１６は、一端部分を基板１２の端部付近に設けられた貫通孔１２ｃに差し込んで貫通孔１２ｃに対して回転自在に係止させるが、貫通孔１２ｃの位置を鋼製型枠ｘに設けられている孔ｗの位置に合わせれば、基板１２と鋼製型枠ｘとがＵクリップ１６の先端で係止される。さらに、Ｕクリップ１６を図４に示すように貫通孔１２ｃを中心として回動させ、Ｕクリップ１６で基板１２と鋼製型枠ｘとを挟持させることにより面木固定具１０が鋼製型枠ｘに確実に固定される。
このように、Ｕクリップ１６で、基板１２と鋼製型枠ｘとを挟持して固定するから、Ｕクリップ１６の棒材の離間距離を基板１２と鋼製型枠ｘの上面板のそれぞれの厚さの和より僅かに狭く設定すれば、棒材の弾性変形を利用して確実に固定することが可能になる。
【００１８】
Ｕクリップ１６により、面木固定具１０を鋼製型枠ｘに固定した後、アーム１４を回動させ、アーム先端部の押圧部１４ａを面木ｚの配設位置に合わせ、押圧部１４ａを面木ｚの押圧部に当接させる。その後、ネジ機構１８を締め付けることにより、アーム１４が鋼製型枠ｘの内壁面方向に押し付けられる。これにより、アーム１４の先端部に形成されている押圧部１４ａが面木ｚを押圧し、所定の位置に面木ｚを固定することができる。
アーム１４は基板１２に対して回動自在に連結されているので、基板１２と面木ｚとの垂直距離を任意に調整できる。従って、面木ｚが鋼製型枠の天端付近に配置されている場合でも、天端から下がった位置に配設されている場合のいずれであっても、アーム１４の角度を変えるだけで確実に面木ｚを押圧することが可能である。また、鋼製型枠の上面からアーム１４が突出することもないため、安全なコンクリート打設および打設後の作業をすることが可能になるため好適である。
【００１９】
以上本発明に係る面木固定具の実施の形態について説明したが、本実施の形態における面木固定具によれば以下の効果が得られる。
すなわち、型枠に面木を配設する際に、面木に直接釘等で打ちつけないため、面木を多数回繰り返し使用することが可能になり、面取り部分に釘等の跡がつかなくなり、良好な面取り部分を形成することができる。
また、面木に釘打ちをしないでよいので、耐久性があり、多数回繰り返し使用することができ、アルミ、鋼などの金属型枠にも使用でき、産業廃棄物の減少に貢献することができる。
さらに、型枠の上面から面木固定具の一部が突出することなく、作業性が良好であると共に、足元がすっきりとさせることができるため、安全な作業環境を提供することができる。
さらにまた、アームの回動角度を調節することで、型枠上面から所定の垂直距離に面木を固定することができる。
また、面木を押圧する力を面木に対して垂直に作用させることができるので、コンクリートを打設する際に、面木がズレてしまうことがない。
【００２０】
次に他の実施の形態について説明する。
図６は他の実施の形態を示す説明斜視図である。
先に説明した実施の形態における挿通部１２ｂは、コンクリートを打設する際に、ネジ機構１８にコンクリートが付着してネジ山がコンクリートで埋まってしまうことを防止するため、図１等に示すように筒状に形成されているが、アーム１４とネジ機構１８とを基板１２を介して連結することが可能な形状であればよい。したがって、必ずしも筒状態である必要はなく、図６に示すように基板１２の両脇部分にネジ１８ａを挿通させるための貫通孔１３ａを有する立設部１３を形成して、これを挿通部としても良い。
【００２１】
本実施の形態においては、先の実施の形態と同様な部分については、図１乃至４において付した符号と同符号を付すことにより、ここでは詳細な説明を省略する。
本実施の形態に係る面木固定具１０は基板１２の上面の両端部分にネジ１８ａを挿通させる貫通孔１３ａが形成された立設部１３が形成されていると共に、基板１２に型枠に固定するための取り付け部が一体に形成されていることを特徴とするものである。本実施の形態における取り付け部は、基板１２の一端縁を略つ字状に形成すると共に、先端縁部近傍に係止用の凸部を形成し基板１２自体にＵクリップ１６と同様の機能を持たせたものである。
【００２２】
次に本実施の形態の面木固定具の取り付け手順について説明する。
本実施の形態における面木固定具１０は、基板１２に取り付け部材１６が一体に形成されているので、鋼製型枠ｘの上面の側方から基板１２の側面開口部を噛ませることにより取り付けすることができる。面木固定具１０を鋼製型枠ｘにあてがって、略つ字状に折り曲げている部分を金づち等で叩きつけると係止用の凸部が拡がり、鋼製型枠ｘの上端面を挟持して面木固定具１０が鋼製型枠ｘに固定される。
面木固定具１０を固定した後の操作は、先の実施の形態と同様である。面木固定具１０を取り外す際は、アーム１４の側面を金づち等で叩きつければよい。
【００２３】
本実施の形態に係る面木固定具１０においては、コンクリート打設時にネジ１８ａにコンクリートがかかり、コンクリートが固化してしまっても、ネジ山ピッチの広いネジ１８ａを用いれば、ネジ１８ａをハンマー等で叩くことによりコンクリートを除去することが可能である。また、本実施の形態においては、先に説明したとおり、面木固定具１０の取り付けを行う際には、衝撃が与えられるので、コンクリートが除去されるため好適である。
また、基板に型枠との取り付け部を一体に形成したことにより、面木固定具１０の構成を単一部品にすることが可能になるので、持ち運びが容易であり、作業現場にて部品を紛失してしまうおそれがないため好適である。
【００２４】
以上、本発明に係る面木固定具について詳細に説明してきたが、本発明はこれらの実施の形態に限定されるものではない。
例えば、本実施の形態においては押圧機構をネジ機構１８としているが、図８に示すようにアーム１４に連結され、挿通部１２ｂを挿通する軸２０に貫通孔２０ａを形成し、貫通孔２０ａにくさび２０ｂを挿入することにより押圧させる構成としても良い。
また、基板の取り付け部を簡易的な万力にすることも考えられる。これによれば、固定具に直接衝撃を与えることなく型枠に取り付けることができ、しかも、型枠の挟持厚さに制限がなく、さらには、締付力を自在に調節することができるので、汎用性が高く好都合である。
以上の実施の形態においては、使用するコンクリート型枠として鋼製型枠のみを例示しているが、木製型枠であっても適用可能である。この場合、面木固定具の材質を強化プラスチック等の合成樹脂とすることにより十分対応することが可能である。
【００２５】
本発明に係る面木固定具により、以下の効果を得ることができる。
即ち、押圧部を有するアームを回動自在に配設することにより、型枠上端面からの任意の垂直距離に配設した面木を固定することが可能になる。この際、型枠の上端面から面木固定具の一部が突出することなく、面木と型枠上面との垂直距離を調整することができるため、作業性が良好であると共に、足元がすっきりとさせることができ、安全な作業環境を提供することができる。さらに、型枠に面木を配設する際に、面木に直接釘等で打ちつけず、面木を繰り返し使用することが可能になり、面取り部分に釘等の跡がない良好な面取り部分を形成することができる。
【００２６】
また、押圧機構をネジ機構としたことにより、面木の固定に際しては特別な道具を必要としないので、面木の取り付け作業を容易に行うことができる。
さらに、ネジ機構には締付制限部が設けられているため、ネジを締め付けすぎて、面木を破損してしまうことがない。
さらにまた、アームを傾斜させて配設したことにより、面木を押圧する力を面木に対して垂直に作用させることができるので、コンクリートを打設する際に、面木がズレてしまうことがない。
また、取り付け部が基板に着脱自在に配設されていることにより、面木固定具がかさばらずに運搬が容易になる。
【図面の簡単な説明】
【図１】  面木固定具の説明斜視図である。
【図２】  面木固定具の説明正面図である。
【図３】  面木固定具の説明右側面図である。
【図４】  面木固定具の説明平面図である。
【図５】  鋼製型枠への面木の取り付け状態の一例を示す説明図である。
【図６】  他の実施の形態を示す説明斜視図である。
【図７】  従来の面木固定具の一例を示す説明図である。
【図８】  他の取り付け部の構成を示す説明図である。
【符号の説明】
１０  面木固定具
１２  基板
１２ｂ  挿通部
１２ｃ  貫通孔
１３  立設部
１３ａ  貫通孔
１４  アーム
１４ａ  押圧部
１６  Ｕクリップ
１８  ネジ機構
２０  軸
２０ｂ  くさび
１００  支持金具
１０２  アジャストバー
１０４  押圧部
１０６  面木固定部材
ｘ  鋼製型枠
ｚ  面木
【図１】
0003999021.tif 000002
【図２】
0003999021.tif 000003
【図３】
0003999021.tif 000004
【図４】
0003999021.tif 000005
【図５】
0003999021.tif 000006
【図６】
0003999021.tif 000007
【図７】
0003999021.tif 000008
【図８】
0003999021.tif 000009